(57)【要約】【課題】  サーバの運用コストをかけることなく、著作権保護された動画をユーザ同士で共有することができる動画共有サーバを提供する。【解決手段】  録画番組の配信を許可するユーザ端末の一覧を管理するユーザ端末管理部を録画サーバに設け、録画番組の配信を要求するユーザ端末に対し、当該録画番組の配信を許可するかを前記ユーザ端末の一覧に基づき判定し、この判定結果に基づき、録画番組の配信を許可するユーザ端末が当該録画番組にアクセスするための録画番組アクセス情報を生成する。【選択図】  図３
2015070364.tif 000002
【特許請求の範囲】
【請求項１】
ユーザ端末とＩＰネットワークを介して接続され、前記ユーザ端末からの要求に従って、保存された録画番組を配信する録画サーバであって、
配信された放送を録画する録画部と、
前記ユーザ端末からの要求に従って、前記録画部により録画された録画番組を特定するための録画番組識別情報を生成する録画番組識別情報生成部と、
前記録画番組の配信を許可する前記ユーザ端末の一覧を管理するユーザ端末管理部と、
前記録画番組識別情報によって特定される録画番組の配信を要求する前記ユーザ端末に対し、当該録画番組の配信を許可するかを前記ユーザ端末管理部が管理する前記ユーザ端末の一覧に基づき判定する配信可否判定部と、
前記配信可否判定部の判定結果に基づき、前記録画番組の配信を許可する前記ユーザ端末が当該録画番組にアクセスするための録画番組アクセス情報を生成する録画番組アクセス情報生成部と、
前記録画番組アクセス情報を取得した前記ユーザ端末に対し、前記録画番組を配信する配信部と、を備えることを特徴とする録画サーバ。
【請求項２】
前記録画番組の解像度の変換を行うトランスコード部をさらに備え、
前記ユーザ端末管理部は、前記ユーザ端末の解像度情報を管理し、
前記トランスコード部は、前記ユーザ端末管理部が管理する前記ユーザ端末の解像度情報に基づき、前記ユーザ端末に配信する録画番組の解像度を変換することを特徴とする、請求項１記載の録画サーバ。
【請求項３】
録画サーバとＩＰネットワークを介して接続され、前記録画サーバに保存された録画番組を受信し、再生するユーザ端末であって、
前記録画番組の配信を要求する前記録画サーバの一覧を管理する録画サーバ管理部と、
前記録画番組を受信し、再生する再生部と、
前記録画サーバに対し、当該録画サーバに保存された所望の録画番組を特定するための録画番組識別情報の生成を要求し、生成された前記録画番組識別情報を取得する録画番組識別情報取得部と、
前記録画サーバに対し、前記録画場組識別情報により特定される録画番組にアクセスするための録画番組アクセス情報の生成を要求し、生成された前記録画番組アクセス情報を取得する録画番組アクセス情報取得部と、を備えることを特徴とするユーザ端末。
【請求項４】
録画サーバ、および当該録画サーバとＩＰネットワークを介して接続されるユーザ端末から構成される動画共有システムにおいて、
前記録画サーバは、
配信された放送を録画する録画部と、
前記ユーザ端末からの要求に従って、前記録画部により録画された録画番組を特定するための録画番組識別情報を生成する録画番組識別情報生成部と、
前記録画番組の配信を許可する前記ユーザ端末の一覧を管理するユーザ端末管理部と、
前記録画番組識別情報によって特定される録画番組の配信を要求する前記ユーザ端末に対し、当該録画番組の配信を許可するかを前記ユーザ端末管理部が管理する前記ユーザ端末の一覧に基づき判定する配信可否判定部と、
前記配信可否判定部の判定結果に基づき、前記録画番組の配信を許可する前記ユーザ端末が当該録画番組にアクセスするための録画番組アクセス情報を生成する録画番組アクセス情報生成部と、
前記録画番組アクセス情報を取得した前記ユーザ端末に対し、前記録画番組を配信する配信部と、を備え、
前記ユーザ端末は、
前記録画番組の配信を要求する前記録画サーバの一覧を管理する録画サーバ管理部と、
前記録画番組を受信し、再生する再生部と、
前記録画サーバに対し、当該録画サーバに保存された所望の録画番組を特定するための録画番組識別情報の生成を要求し、生成された前記録画番組識別情報を取得する録画番組識別情報取得部と、
前記録画サーバに対し、前記録画場組識別情報により特定される録画番組にアクセスするための録画番組アクセス情報の生成を要求し、生成された前記録画番組アクセス情報を取得する録画番組アクセス情報取得部と、を備えることを特徴とする動画共有システム。
【請求項５】
ユーザ端末とＩＰネットワークを介して接続される録画サーバに保存された録画番組を、前記ユーザ端末からの要求に従って配信する動画共有方法であって、
前記録画番組の配信を許可する前記ユーザ端末を前記録画サーバのユーザ端末管理部に登録するステップと、
前記録画番組の配信を要求する前記録画サーバを前記ユーザ端末の録画サーバ管理部に登録するステップと、
前記ユーザ端末から前記録画サーバに対し、当該録画サーバに保存された所望の録画番組を特定するための録画番組識別情報の生成を要求するステップと、
前記ユーザ端末からの要求に応じて前記録画番組識別情報を生成し、前記ユーザ端末に送信するステップと、
前記録画サーバ管理部が管理する録画サーバに対し、前記録画番組識別情報により特定される録画番組にアクセスするための録画番組アクセス情報を要求するステップと、
前記録画番組アクセス情報の要求に対し、前記ユーザ端末管理部が管理するユーザ端末の一覧に基づき、前記録画番組識別情報により識別される前記録画番組の配信可否を判定し、当該判定結果に基づいて前記録画番組アクセス情報を生成するステップと、
前記録画番組アクセス情報を取得した前記ユーザ端末が、当該録画番組アクセス情報を送信した前記録画サーバに前記録画番組の配信要求を送信するステップと、
前記配信要求に従って、当該配信要求を送信した前記ユーザ端末に前記録画番組を配信するステップと、を備えることを特徴とする動画共有方法。
【発明の詳細な説明】
【技術分野】
【０００１】
この発明は著作権保護されたテレビ放送の録画番組をユーザ間で共有する動画共有システム、録画サーバ、ユーザ端末及び動画共有方法に関するものである。
【背景技術】
【０００２】
テレビ放送は友人同士で話題に挙がることが多く、話題に挙がった番組を自分も視聴したい、あるいは、自分が気に入った番組を友人に紹介したいという要望がある。また、インターネット上のサーバにユーザが投稿した動画を不特定多数のユーザが共有し、視聴できる動画共有サービスが普及している。しかしながら、テレビ放送は著作権が保護されており、著作権者の承諾なしにユーザが蓄積した録画番組の動画を友人が視聴できるようにしたり、動画共有サービスを利用して録画番組の動画をインターネット上のサーバにアップロードして、友人と動画の交換や共有を行うことは、著作権を侵害するという問題があった。
【０００３】
こうした課題を解決する方法として、各ユーザが所有するＩＰ動画サーバにユーザ自身がテレビ放送を録画し、各ユーザが所有するＩＰ端末装置と各ユーザが所有するＩＰ動画サーバとを紐付けして管理する管理サーバを設置するものがある（特許文献１）。この方法においてユーザは、動画のシーンを識別する識別情報を他のユーザと共有しており、他のユーザから提示された識別情報をＩＰ端末装置から管理サーバに送信すると、管理サーバは送信元ＩＰ端末装置に紐付けされているＩＰ動画サーバのＩＰアドレスを送信元ＩＰ端末装置に返すことにより、他のユーザが所有するＩＰ動画サーバに蓄積されている動画を再生視聴することができる。
【先行技術文献】
【特許文献】
【０００４】
【特許文献１】特開２０１２−３９４１７号公報
【発明の概要】
【発明が解決しようとする課題】
【０００５】
しかしながら、従来の方式（特許文献１）では、各ユーザのＩＰ端末装置とＩＰ動画サーバとを紐付けして管理する管理サーバを設置する必要があるため、管理サーバを運用するコストが掛かり、動画共有サービスの事業者あるいはユーザに費用負担が発生するという問題点があった。
【０００６】
また、管理サーバはネットワークから誰でもアクセス可能な状態で設置する必要があり、管理サーバが管理するＩＰ端末装置とＩＰ動画サーバとの紐付けの管理情報が外部に漏えいし、不特定多数のユーザがＩＰ動画サーバにアクセスし、著作権を侵害する可能性があるという問題点があった。
【０００７】
さらに、管理サーバは１つのＩＰ端末装置に対して１つのＩＰ動画サーバの紐付けを行うため、ユーザが複数のＩＰ動画サーバを所有している場合であっても、ユーザは１つのＩＰ端末装置からは１つのＩＰ動画サーバしか使用することができないという問題点があった。
【０００８】
この発明は上記のような問題点を解決するためになされたものであり、サーバの運用コストを掛けることなく、著作権保護された動画をユーザ同士で共有することができる動画共有サーバ、動画共有端末、動画共有システム、および動画共有方法を提供することを目的とする。
【課題を解決するための手段】
【０００９】
本発明に係わる録画サーバは、ユーザ端末とＩＰネットワークを介して接続され、前記ユーザ端末からの要求に従って、保存された録画番組を配信する録画サーバであって、
配信された放送を録画する録画部と、
前記ユーザ端末からの要求に従って、前記録画部により録画された録画番組を特定するための録画番組識別情報を生成する録画番組識別情報生成部と、
前記録画番組の配信を許可する前記ユーザ端末の一覧を管理するユーザ端末管理部と、
前記録画番組識別情報によって特定される録画番組の配信を要求する前記ユーザ端末に対し、当該録画番組の配信を許可するかを前記ユーザ端末管理部が管理する前記ユーザ端末の一覧に基づき判定する配信可否判定部と、
前記配信可否判定部の判定結果に基づき、前記録画番組の配信を許可する前記ユーザ端末が当該録画番組にアクセスするための録画番組アクセス情報を生成する録画番組アクセス情報生成部と、
前記録画番組アクセス情報を取得した前記ユーザ端末に前記録画番組をユーザ端末に配信する配信部と、を備えるものである。
【発明の効果】
【００１０】
本発明に係わる録画サーバによれば、録画番組の配信を許可するユーザ端末の一覧を管理するユーザ端末管理部を備え、録画番組の配信を要求するユーザ端末への配信を、前記ユーザ端末の一覧に基づき許可するよう構成したので、著作権保護された録画番組を不特定多数のユーザ端末に配信することを回避することができる。
【図面の簡単な説明】
【００１１】
【図１】本発明の一実施形態に係わる動画共有システムの構成を示す図である。
【図２】本発明の一実施形態に係わるユーザ端末の構成を示す図である。
【図３】本発明の一実施形態に係わる録画サーバの構成を示す図である。
【図４】録画サーバ管理部の登録情報の一例を示す図である。
【図５】ユーザ端末管理部の登録情報の一例を示す図である。
【図６】録画サーバ管理部の登録情報の一例を示す図である。
【図７】ユーザ端末管理部の登録情報の一例を示す図である。
【図８】ユーザが録画番組を共有する際の一連の動作を示すフローチャートである。
【図９】本発明の一実施形態に係わる動画共有システムの構成を示す図である。
【図１０】本発明の一実施形態に係わる録画サーバの構成を示す図である。
【図１１】録画サーバ管理部の登録情報の一例を示す図である。
【図１２】ユーザ端末管理部の登録情報の一例を示す図である。
【図１３】録画番組アクセス情報の一例を示す図である。
【図１４】録画番組識別情報の一例を示す図である。
【図１５】録画番組アクセス情報の一例を示す図である。
【発明を実施するための形態】
【００１２】
実施の形態１．
図１は本発明の実施の形態１に関わる動画共有システムの構成を示すブロック図である。図１に示す動画共有システムは、各ユーザが所有するユーザ端末１００、および録画サーバ２００がＩＰネットワーク３００に接続されて構成される。ユーザは自身が所有する録画サーバ２００にテレビ放送を録画番組として蓄積し、自身が所有するユーザ端末１００を利用して録画サーバ２００が録画した録画番組を再生視聴する。
【００１３】
図１に示す動画共有システムにおいて、ユーザＡはユーザ端末１００ａ、および録画サーバ２００ａを所有し、ユーザＢはユーザ端末１００ｂ、および録画サーバ２００ｂを所有しており、ユーザ端末１００ａ、１００ｂ及び録画サーバ２００ａ、２００ｂはＩＰネットワーク３００に接続されている。
【００１４】
図１に示す例では２人のユーザＡ、Ｂが、ユーザ端末１００ａ、１００ｂ、録画サーバ２００ａ、２００ｂを使用して動画共有システムを利用しているが、ユーザの数、ユーザ端末の数及び録画サーバの数はこれに限定されるものではない。
【００１５】
図２にユーザ端末１００の内部構成の一例を示す。ユーザ端末１００は、録画サーバ２００との通信を行う通信部１１０、当該ユーザ端末１００が利用可能な録画サーバ２００の一覧を管理する録画サーバ管理部１１１、録画サーバ２００に録画番組識別情報を要求する録画番組識別情報取得部１１２、録画サーバ２００に録画番組アクセス情報を要求する録画番組アクセス情報取得部１１３、及び録画サーバ２００から配信される録画番組を再生する再生部１１４から構成される。
【００１６】
図３に録画サーバ２００の内部構成の一例を示す。録画サーバ２００は、ユーザ端末１００との通信を行う通信部２１０、当該録画サーバ２００が録画番組を配信可能なユーザ端末１００の一覧を管理するユーザ端末管理部２１１、テレビ放送を保存する蓄積媒体２１２、テレビ放送を蓄積媒体２１２に録画し、管理する録画部２１３、蓄積媒体２１２に保存された録画番組の任意のシーンを特定するための録画番組識別情報を生成する録画番組識別情報生成部２１４、蓄積媒体２１２に保存された録画番組にアクセスするための録画番組アクセス情報を生成する録画番組アクセス情報生成部２１５、要求元のユーザ端末１００が録画番組の配信を許可されているかを判定する配信可否判定部２１６、及び蓄積媒体２１２に保存された録画番組をユーザ端末１００に配信する配信部２１７から構成される。
【００１７】
次に、実施の形態１に関わる動画共有システムの動作を図４〜８に基づき説明する。
【００１８】
動画共有システムの各ユーザは、自分が使用するユーザ端末１００と録画サーバ２００を相互に関連づけて登録する。図１に示す例では、ユーザＡはユーザ端末１００ａと録画サーバ２００ａとを関連づけて登録し、ユーザＢはユーザ端末１００ｂと録画サーバ２００ｂとを関連づけて登録する。
【００１９】
図４は、ユーザ端末１００ａの録画サーバ管理部１１１に登録される、利用可能な録画サーバの登録情報の一例である。図４に示すように録画サーバ管理部１１１には、録画サーバ２００ａのＩＰアドレスが登録される。なお、図４には録画サーバのＩＰアドレスを登録する例を示したが、録画サーバにアクセスするための情報としてホスト名を登録してもよい。
【００２０】
図５は録画サーバ２００ａのユーザ端末管理部２１１に登録される、録画番組を配信可能なユーザ端末の登録情報の一例である。図５に示すようにユーザ端末管理部２１１には、ユーザ端末１００ａのユーザ端末ＩＤ、パスワード及びＩＰアドレスが登録されている。なお、図５にはユーザ端末ＩＤ、パスワード及びＩＰアドレスを登録する例を示したが、録画サーバがユーザ端末を認証するための情報であれば、ユーザ端末ＩＤとパスワードの組合せのみ、あるいはＩＰアドレスやホスト名だけでもよい。
【００２１】
また、図６はユーザ端末１００ｂの録画サーバ管理部１１１に登録される、利用可能な録画サーバの登録情報の一例であり、図７は録画サーバ２００ｂのユーザ端末管理部２１１に登録される、録画番組を配信可能なユーザ端末の登録情報の一例である。
録画サーバ２００ａ、２００ｂのそれぞれの録画部２１３は、テレビ放送を受信し、蓄積媒体２１２に録画番組を保存する。
【００２２】
図８はユーザＡとユーザＢが録画番組を共有する際の一連の動作を示すフローチャートである。
まず、ユーザＡがユーザ端末１００ａで録画サーバ２００ａに保存された録画番組Ｘを視聴中に（ＳＴ０１）、あるシーンＹを他のユーザに視聴させたいと考えた場合、ユーザ端末１００ａの録画番組識別情報取得部１１２が録画サーバ２００ａに録画番組ＸのシーンＹを一意に特定する録画番組識別情報要求を送信する。（ＳＴ０２）
録画サーバ２００ａの録画番組識別情報生成部２１４は、ユーザ端末１００ａから録画番組識別情報要求を受信すると、録画番組ＸのシーンＹを一意に特定する録画番組識別情報を生成し、ユーザ端末１００ａに録画番組識別情報を送信する。（ＳＴ０３）
録画番組識別情報生成部２１４は、録画番組の放送地域、チャンネル番号、サービスＩＤ、イベントＩＤ、番組名、番組内容、番組開始時刻、番組終了時刻に基づき、動画共有システム内で共通の方式により、録画番組識別情報を生成する。なお、録画番組識別情報には録画サーバを特定する情報を含めない。
ユーザ端末１００ａは、録画サーバ２００ａから録画番組識別情報を受信すると、メールや電子掲示板への書き込み等により他のユーザに録画番組識別情報を公開する。（ＳＴ０４）
【００２３】
ユーザＢがユーザ端末１００ｂを使用して、ユーザＡによるメールまたは電子掲示板への書き込みを見つけ、ユーザ端末１００ａによって公開された録画番組識別情報を受信すると、ユーザ端末１００ｂの録画番組アクセス情報取得部１１３は、録画サーバ管理部１１１に登録済みの録画サーバ２００ｂに対し、録画番組識別情報を付与した録画番組アクセス情報要求を送信する。（ＳＴ０５）
録画サーバ２００ｂがユーザ端末１００ｂから録画番組アクセス情報要求を受信すると、配信可否判定部２１６は要求元のユーザ端末１００ｂがユーザ端末管理部２１１に登録済みか否かにより録画番組の配信可否を判定する。（ＳＴ０６）
ＳＴ０６で配信可と判定された場合（ＳＴ０６のＹＥＳ）、録画番組アクセス情報生成部２１５は、録画番組アクセス情報要求に含まれる録画番組識別情報に対応する録画番組ＸのシーンＹを、録画サーバ２００ｂの蓄積媒体２１２に保存された録画番組の中から検索する。（ＳＴ０７）
ＳＴ０７で録画番組が見つかった場合（ＳＴ０８のＹＥＳ）、録画番組アクセス情報生成部２１５は、録画番組ＸのシーンＹにアクセスするための録画番組アクセス情報を生成し、ユーザ端末２００ｂに送信する。（ＳＴ０９）
ＳＴ０６で配信不可と判定された場合（ＳＴ０６のＮＯ）、およびＳＴ０８で録画番組が見つからなかった場合（ＳＴ０８のＮＯ）、録画サーバ２００ｂはユーザ端末１００ｂに対して、録画番組アクセス情報を送信せず、処理を終了する。
なお、ＳＴ０６で配信不可と判定された場合（ＳＴ０６のＮＯ）、録画サーバ２００ｂは、ユーザ端末２００ａに対して配信拒否を通知してもよい。また、ＳＴ０８で録画番組が見つからなかった場合（ＳＴ０８のＮＯ）、録画サーバ２００ｂは、ユーザ端末２００ａに対して録画番組が見つからなかったことを通知してもよい。
【００２４】
ユーザ端末１００ｂが録画サーバ２００ｂから録画番組アクセス情報を取得できた場合（ＳＴ１０のＹＥＳ）、ユーザ端末１００ｂの再生部１１４は録画サーバ２００ｂに対して、録画番組アクセス情報を付与した録画番組配信要求を送信する。（ＳＴ１１）
録画サーバ２００ｂの配信部２１７は、ユーザ端末１００ｂから録画番組配信要求を受信すると、録画番組配信要求に付与された録画番組アクセス情報に対応する録画番組ＸのシーンＹをユーザ端末１００ｂに配信する。
ユーザ端末１００ｂの再生部１１４は、録画サーバ２００ｂから配信される録画番組ＸのシーンＹを受信し、再生する。（ＳＴ１３）
【００２５】
以上の動作により、ユーザＡが見せたい録画番組をユーザＢに伝え、ユーザＢはユーザ端末１００ｂを使用し、ユーザＢが所有する録画サーバ２００ｂからの当該録画番組の再生視聴が可能となるため、著作権を侵害することなく、ユーザＡとユーザＢが同じ録画番組を再生視聴できるようになる。
【００２６】
また、録画サーバ２００はユーザ端末管理部２１１に登録されていないユーザ端末からの配信要求を拒否することができるため、著作権保護された録画番組を不特定多数のユーザ端末１００に配信することを回避することができる。
【００２７】
さらに、本システムはユーザ端末１００と録画サーバ２００のみで構成され、ユーザ端末１００と録画サーバ２００の関係を管理するサーバを設置する必要がないため、サーバ運用のコストが発生しない。
【００２８】
なお、上記動作の説明では、録画番組識別情報は録画番組の任意のシーンを特定する情報であり、ユーザが録画番組を再生中にユーザ端末から録画サーバに要求する例を示したが、録画番組識別情報は録画番組を番組単位で特定する情報でもよい。この場合、ユーザは、録画サーバに格納された録画番組の一覧表示画面から録画番組を選択し、選択された録画番組に対応する録画番組識別情報を要求するようにしてもよい。
【００２９】
また、録画サーバ２００は、録画番組アクセス情報要求に含まれる録画番組識別情報に対応する録画番組を検索する際、録画番組識別情報の放送地域が異なる場合に、番組名と番組内容が一致するものを同一の番組と認識して検索してもよい。
【００３０】
実施の形態２．
上記実施の形態１では、各ユーザがそれぞれ１台の録画サーバ２００を所有する場合に録画番組を共有する構成を示したが、実施の形態２では、ユーザが複数の録画サーバ、複数のユーザ端末を所有する場合に録画番組を共有する構成を示す。
【００３１】
図９は本発明の実施の形態２による動画共有システムの構成を示すブロック図である。図９において、図１と同一符号は同一または相当する構成を示すので説明を省略する。図９に示す動画共有システムにおいては、ユーザＡ宅にユーザ端末１００ａ及び録画サーバ２００ａが設置され、ユーザＢ宅にユーザ端末１００ｂ、録画サーバ２００ｂ及び２０１ｂが設置され、ネットワーク録画サービス事業者内にユーザＢが契約する録画サーバ２０２ｂが設置され、さらにユーザＢが使用するユーザ端末１０１ｂ、１０２ｂがそれぞれＩＰネットワーク３００、３００ａ、３００ｂで接続されている。
このように図９に示す例では、ユーザＢが３台のユーザ端末１００ｂ、１０１ｂ、１０２ｂと、３台の録画サーバ２００ｂ、２０１ｂ、２０２ｂを使用する。
【００３２】
図１０は、実施の形態２による動画共有システムの録画サーバ２００の内部を示す構成図である。図１０において、図３と同一符号は同一または相当する構成を示すので説明を省略する。図１０に示す録画サーバにおいては、蓄積媒体２１２に保存された録画番組を異なる映像符号化ｓ、音声符号化及び解像度に変換するトランスコード処理を行うトランスコード部２１８が追加されている。
【００３３】
ユーザ端末１００、１０１、１０２のそれぞれの録画サーバ管理部１１１には複数の録画サーバ２００、２０１、２０２を登録することが可能であり、録画サーバ２００、２０１、２０２のそれぞれのユーザ端末管理部２１１には複数のユーザ端末１００、１０１、１０２を登録することが可能である。
【００３４】
図１１は、ユーザ端末１００ｂの録画サーバ管理部１１１に登録される、利用可能な録画サーバの登録情報の一例である。図１１に示すように録画サーバ管理部１１１には、ユーザＢが所有する３台の録画サーバ２００ｂ、２０１ｂ、２０２ｂのＩＰアドレスが登録される。
【００３５】
図１２は、録画サーバ２００ｂのユーザ端末管理部２１１に登録される、録画番組を配信可能なユーザ端末の登録情報の一例である。図５に示すようにユーザ端末管理部２１１には、ユーザＢが所有する３台のユーザ端末１００ｂ、１０１ｂ、１０２ｂのユーザ端末ＩＤ、パスワード及びＩＰアドレスに加え、解像度が登録される。
【００３６】
ユーザＢのユーザ端末１００ｂは、録画番組識別情報を受信すると、録画番組アクセス情報取得部１１３において録画番組アクセス情報を取得する。この際、ユーザ端末１００ｂの録画サーバ管理部１１１に登録されている３台の録画サーバ２００ｂ、２０１ｂ、２０２ｂのそれぞれに対して録画番組アクセス情報要求を送信し、いずれかの録画サーバ２００から録画番組アクセス情報の応答があった場合、応答があった録画サーバに対して録画番組配信要求を送信する。
【００３７】
ここで、複数の録画サーバ２００ｂ、２０１ｂ、２０２ｂから録画番組アクセス情報の応答があった場合、最も高画質で録画番組を保存している録画サーバに対して録画番組配信要求を送信することで、自動的に録画サーバを選択してもよい。あるいは、ユーザ端末の画面に複数の録画サーバから応答があったことを表示し、ユーザが録画サーバを選択できるようにしてもよい。これにより、録画サーバ２００ｂ、２０１ｂ、２０２ｂのいずれかに番組が録画されている場合、ユーザは録画番組を再生視聴することが可能になる。
【００３８】
録画サーバ２００ｂの録画番組アクセス情報生成部２１５は、録画番組アクセス情報を生成する際、ユーザ端末管理部２１１に登録されている複数のユーザ端末１００ｂ、１０１ｂ、１０２ｂのうち、要求元のユーザ端末の解像度に適した解像度に対応する録画番組アクセス情報を生成してもよい。
【００３９】
図１３は録画サーバ２００ａの録画番組アクセス情報生成部２１５がユーザ端末１００ｂ、１０１ｂ、１０２ｂから録画番組アクセス情報要求を受信した場合に生成する録画番組アクセス情報の例である。図１３に示す例では、ユーザ端末管理部２１１が管理するユーザ端末１００ｂ、１０１ｂ、１０２ｂの解像度に応じて録画番組アクセス情報の解像度情報（“ｒｅｓｏｌｕｔｉｏｎ”）が設定される。
【００４０】
録画サーバ２００ａは、ユーザ端末１００ｂ、１０１ｂ、１０２ｂから録画番組配信要求を受信すると、録画番組配信要求に付与された録画番組アクセス情報の解像度情報に基づき、トランスコード部２１８が録画番組の映像符号、音声符号、解像度の変換を行い、配信部２１７がトランスコードされた録画番組を配信する。
【００４１】
ここでは、録画番組の配信時にトランスコード部２１８が録画番組の変換を行う例を示したが、録画部２１３が録画する際にトランスコード部２１８が解像度の変換を行い、複数の解像度の録画番組を蓄積媒体２１２に保存してもよい。
【００４２】
以上の動作により、複数の録画サーバを所有するユーザが他のユーザから番組を紹介された際、いずれかの録画サーバに番組が録画されていれば、各ユーザが所有する録画サーバから録画番組を再生視聴することができる。
また、ユーザが複数のユーザ端末を所有している場合に、それぞれのユーザ端末に最も適した解像度で録画番組を再生視聴することができる。
【００４３】
ユーザ端末、および録画サーバが使用する録画番組識別情報及び録画番組アクセス情報はＤＬＮＡ（Ｄｉｇｉｔａｌ Ｌｉｖｉｎｇ Ｎｅｔｗｏｒｋ Ａｌｌｉａｎｃｅ）規格の＜ｉｔｅｍ＞タグ及び＜ｒｅｓ＞タグを使用してもよい。
【００４４】
図１４は録画サーバ２００の録画番組識別情報生成部２１４が生成する録画番組識別情報として、ＤＬＮＡ規格の＜ｉｔｅｍ＞タグを使用した例である。図１４では、録画番組識別情報はＤＬＮＡ規格の＜ｉｔｅｍ＞タグから録画サーバ２００を特定する情報である＜ｒｅｓ＞タグを取り除いたものとなっている。
【００４５】
また、図１５は録画サーバ２００の録画番組アクセス情報生成部２１５が生成する録画番組アクセス情報として、ＤＬＮＡ規格の＜ｒｅｓ＞タグを使用した例である。
【００４６】
図１４、図１５に示したようなＤＬＮＡ規格に基づく録画番組識別情報、録画番組アクセス情報を使用することにより、ユーザ端末と録画サーバとの間の録画番組の配信をＤＬＮＡ規格に基づいて、容易に実現することが可能になる。
【００４７】
録画番組識別情報をユーザ間で共有する方法としては、メール、インターネット上の電子掲示板、ソーシャル・ネットワーキング・サービス等がある。これらの共有方法毎に、録画番組識別情報を集計し、ユーザに推奨する番組の順位付けを行ってもよい。
【符号の説明】
【００４８】
１００ａ、１００ｂ、１０１ｂ、１０２ｂ  ユーザ端末、２００ａ、２００ｂ、２０１ｂ、２０２ｂ  録画サーバ、３００、３００ａ、３００ｂ  ＩＰネットワーク
【図１】
2015070364.tif 000003
【図２】
2015070364.tif 000004
【図３】
2015070364.tif 000005
【図４】
2015070364.tif 000006
【図５】
2015070364.tif 000007
【図６】
2015070364.tif 000008
【図７】
2015070364.tif 000009
【図８】
2015070364.tif 000010
【図９】
2015070364.tif 000011
【図１０】
2015070364.tif 000012
【図１１】
2015070364.tif 000013
【図１２】
2015070364.tif 000014
【図１３】
2015070364.tif 000015
【図１４】
2015070364.tif 000016
【図１５】
2015070364.tif 000017